(57)【要約】【課題】リンクが安定して動作することができる乗物用シートを提供する。【解決手段】乗物用シートは、シートクッションと、乗物の機体に支持されるスライドレール３０と、シートクッションをスライドレール３０に対して昇降させる高さ調整機構１００とを備える。高さ調整機構１００は、シートクッションおよびスライドレール３０に回動可能に連結されたリアリンク１３０と、軸方向に移動することでリアリンク１３０を回動させてシートクッションをスライドレール３０に対して昇降させるロッド１５０と、リアリンク１３０の回動軸方向においてリアリンク１３０と並ぶように配置され、シートクッションにリアリンク１３０と同軸で回動可能に連結された支持リンク１７０とを備える。ロッド１５０の後端部１５１は、リアリンク１３０と支持リンク１７０の間に配置され、リアリンク１３０および支持リンク１７０に回動可能に連結されている。【選択図】図２
2018016258.tif 000002
【特許請求の範囲】
【請求項１】
シートクッションと、乗物の機体に支持されるシート支持部材と、前記シートクッションを前記シート支持部材に対して昇降させる高さ調整機構と、を備えた乗物用シートであって、
前記高さ調整機構は、
前記シートクッションおよび前記シート支持部材に回動可能に連結された第１リンクと、
軸方向に移動することで前記第１リンクを回動させて前記シートクッションを前記シート支持部材に対して昇降させるロッドと、
前記第１リンクの回動軸方向において前記第１リンクと並ぶように配置され、前記シートクッションまたは前記シート支持部材に前記第１リンクと同軸で回動可能に連結された第２リンクと、を備え、
前記ロッドの一端部は、前記第１リンクと前記第２リンクの間に配置され、前記第１リンクおよび前記第２リンクに回動可能に連結されていることを特徴とする乗物用シート。
【請求項２】
前記第１リンクは、前記シートクッションに連結される第１連結部と、前記ロッドに連結される第２連結部とを有し、
前記第２連結部は、前記回動軸方向において前記第１連結部に対し前記第２リンク側にずれた位置に配置されていることを特徴とする請求項１に記載の乗物用シート。
【請求項３】
前記第１リンクは、前記回動軸方向において前記第２リンク側に向けて膨出する膨出部を有し、
前記第２連結部は、前記膨出部に形成されていることを特徴とする請求項２に記載の乗物用シート。
【請求項４】
前記シートクッションは、左右のフレームを構成する左右のサイドフレームと、前記左右のサイドフレームを連結する連結パイプと、を備え、
連結パイプは、当該連結パイプの内側に向けて凹む凹部を有し、前記左右のサイドフレームに回動可能に連結されており、
前記第２リンクは、前記回動軸方向において前記連結パイプの前記凹部が形成された部分に固定されていることを特徴とする請求項１から請求項３のいずれか１項に記載の乗物用シート。
【請求項５】
前記シートクッションは、左右のフレームを構成する左右のサイドフレームと、前記左右のサイドフレームの前部同士を連結するフロントフレームと、前記左右のサイドフレームの後部同士を連結するリアフレームと、前記フロントフレームと前記リアフレームとの間に架け渡された乗員支持部材と、を備え、
前記第２リンクは、前記回動軸方向において、前記左右のサイドフレームの一方と、前記乗員支持部材との間に配置されていることを特徴とする請求項１から請求項４のいずれか１項に記載の乗物用シート。
【請求項６】
前記高さ調整機構は、前記ロッドを前記軸方向に往復移動させるためのアクチュエータを備え、
前記アクチュエータを前記シート支持部材に取り付けるためのブラケットをさらに備え、
前記ブラケットは、前記シート支持部材に固定される第１ブラケットと、前記第１ブラケットに固定され、前記アクチュエータを前記回動軸方向に平行な軸を中心に回動可能に保持する第２ブラケットとを有し、
前記第１ブラケットは、上方に向けて突出するビード部を有し、
前記第２ブラケットは、前記ビード部に固定されていることを特徴とする請求項１から請求項５のいずれか１項に記載の乗物用シート。
【請求項７】
前記第２ブラケットは、前記ビード部に固定される第１壁と、前記第１壁の左右両端から立ち上がって前記アクチュエータを回動可能に保持する一対の第２壁とを有し、
前記第２リンクは、前記回動軸方向において前記一対の第２壁の間の位置に配置されていることを特徴とする請求項６に記載の乗物用シート。
【請求項８】
前記アクチュエータは、モータと、前記モータの駆動力を前記ロッドに伝達するためのギヤを収容するギヤボックスと、前記モータおよび前記ギヤボックスを保持するとともに前記第２ブラケットに回動可能に取り付けられるハウジングとを有することを特徴とする請求項６または請求項７に記載の乗物用シート。
【請求項９】
前記シート支持部材は、乗物の機体に固定されるロアレールと、前記ロアレールにスライド移動可能に係合するアッパーレールと、を備え、
前記第１リンクは、前記アッパーレールに回動可能に連結されていることを特徴とする請求項１から請求項８のいずれか１項に記載の乗物用シート。
【発明の詳細な説明】
【技術分野】
【０００１】
本発明は、シートクッションを昇降させる高さ調整機構を備える乗物用シートに関する。
【背景技術】
【０００２】
従来、シートクッションを昇降させる高さ調整機構として、軸方向に移動自在のスクリュー部材を備え、スクリュー部材が軸方向に移動することで、シートクッションのサイドフレームをアッパーレールに対して上下させるように構成されたものが知られている（特許文献１）。詳しくは、この技術では、アッパーレールに回転可能に係止されたパイプと、パイプの一端に接合された第２のリンクプレートとを備え、スクリュー部材の一端が第２のリンクプレートの一端に回転可能に連結されている。そして、スクリュー部材が前後に移動することで、第２のリンクプレートが前後に回動してパイプを回動させ、パイプの回動によりパイプに接合された第１のリンクプレートが上下に回動してサイドフレームを上下させるように構成されている。
【先行技術文献】
【特許文献】
【０００３】
【特許文献１】特開平１１−０５９２４４号公報（図１）
【発明の概要】
【発明が解決しようとする課題】
【０００４】
ところで、リンクには、シートクッションにかかった大きな荷重がかかるため、安定して動作できることが望まれる。
【０００５】
そこで、本発明は、リンクが安定して動作することができる乗物用シートを提供することを目的とする。
また、本発明は、シート内のスペースを有効に利用することを目的とする。
また、本発明は、リンクの剛性を向上させることを目的とする。
また、本発明は、リンクの取付剛性を向上させることを目的とする。
また、本発明は、部材の干渉を抑制することを目的とする。
また、本発明は、ロッドを駆動させるアクチュエータ取付剛性を向上させることを目的とする。
【課題を解決するための手段】
【０００６】
前記した目的を達成するため、本発明の乗物用シートは、シートクッションと、乗物の機体に支持されるシート支持部材と、前記シートクッションを前記シート支持部材に対して昇降させる高さ調整機構と、を備えた乗物用シートであって、前記高さ調整機構は、前記シートクッションおよび前記シート支持部材に回動可能に連結された第１リンクと、軸方向に移動することで前記第１リンクを回動させて前記シートクッションを前記シート支持部材に対して昇降させるロッドと、前記第１リンクの回動軸方向において前記第１リンクと並ぶように配置され、前記シートクッションまたは前記シート支持部材に前記第１リンクと同軸で回動可能に連結された第２リンクと、を備え、前記ロッドの一端部は、前記第１リンクと前記第２リンクの間に配置され、前記第１リンクおよび前記第２リンクに回動可能に連結されていることを特徴とする。
【０００７】
このような構成によれば、ロッドの一端部を第１リンクと第２リンクとによって回動軸方向の両側から支持することができるので、リンクがねじれることなく安定して動作することができる。
【０００８】
前記した乗物用シートにおいて、前記第１リンクは、前記シートクッションに連結される第１連結部と、前記ロッドに連結される第２連結部とを有し、前記第２連結部は、前記回動軸方向において前記第１連結部に対し前記第２リンク側にずれた位置に配置されている構成とすることができる。
【０００９】
これによれば、第２連結部の第２リンク側とは反対側にスペースを確保することができるので、当該スペースの分、第１リンクを隣接する部材に近づけて配置することができる。これにより、シート内のスペースを有効に利用することができる。
【００１０】
前記した乗物用シートにおいて、前記第１リンクは、前記回動軸方向において前記第２リンク側に向けて膨出する膨出部を有し、前記第２連結部は、前記膨出部に形成されている構成とすることができる。
【００１１】
これによれば、膨出部により第１リンクの剛性を向上させることができる。
【００１２】
前記した乗物用シートにおいて、前記シートクッションは、左右のフレームを構成する左右のサイドフレームと、前記左右のサイドフレームを連結する連結パイプと、を備え、連結パイプは、当該連結パイプの内側に向けて凹む凹部を有し、前記左右のサイドフレームに回動可能に連結されており、前記第２リンクは、前記回動軸方向において前記連結パイプの前記凹部が形成された部分に固定されている構成とすることができる。
【００１３】
これによれば、第２リンクの取付剛性を向上させることができる。
【００１４】
前記した乗物用シートにおいて、前記シートクッションは、左右のフレームを構成する左右のサイドフレームと、前記左右のサイドフレームの前部同士を連結するフロントフレームと、前記左右のサイドフレームの後部同士を連結するリアフレームと、前記フロントフレームと前記リアフレームとの間に架け渡された乗員支持部材と、を備え、前記第２リンクは、前記回動軸方向において、前記左右のサイドフレームの一方と、前記乗員支持部材との間に配置されている構成とすることができる。
【００１５】
これによれば、シート内のスペースを有効に利用することができる。また、乗員支持部材と第２リンクの干渉を抑制することができる。
【００１６】
前記した乗物用シートにおいて、前記高さ調整機構は、前記ロッドを前記軸方向に往復移動させるためのアクチュエータを備え、乗物用シートは、前記アクチュエータを前記シート支持部材に取り付けるためのブラケットをさらに備え、前記ブラケットは、前記シート支持部材に固定される第１ブラケットと、前記第１ブラケットに固定され、前記アクチュエータを前記回動軸方向に平行な軸を中心に回動可能に保持する第２ブラケットとを有し、前記第１ブラケットは、上方に向けて突出するビード部を有し、前記第２ブラケットは、前記ビード部に固定されている構成とすることができる。
【００１７】
これによれば、第１ブラケットはビード部により剛性が向上し、この剛性が高い部分に第２ブラケットを固定することで、第２ブラケットの取付剛性を向上させることができる。これにより、アクチュエータの取付剛性を向上させることができる。
【００１８】
前記した乗物用シートにおいて、前記第２ブラケットは、前記ビード部に固定される第１壁と、前記第１壁の左右両端から立ち上がって前記アクチュエータを回動可能に保持する一対の第２壁とを有し、前記第２リンクは、前記回動軸方向において前記一対の第２壁の間の位置に配置されている構成とすることができる。
【００１９】
これによれば、回動軸方向において第２リンクをコンパクトに配置することができるので、シート内のスペースを有効に利用することができる。
【００２０】
前記した乗物用シートにおいて、前記アクチュエータは、モータと、前記モータの駆動力を前記ロッドに伝達するためのギヤを収容するギヤボックスと、前記モータおよび前記ギヤボックスを保持するとともに前記第２ブラケットに回動可能に取り付けられるハウジングとを有する構成とすることができる。
【００２１】
前記した乗物用シートにおいて、前記シート支持部材は、乗物の機体に固定されるロアレールと、前記ロアレールにスライド移動可能に係合するアッパーレールと、を備え、前記第１リンクは、前記アッパーレールに回動可能に連結されている構成とすることができる。
【発明の効果】
【００２２】
本発明によれば、リンクが安定して動作することができる。
【００２３】
また、本発明によれば、第１リンクの第２連結部を第１連結部に対し第２リンク側にずれた位置に配置することで、シート内のスペースを有効に利用することができる。
【００２４】
また、本発明によれば、第２連結部を膨出部に形成することで、膨出部により第１リンクの剛性を向上させることができる。
【００２５】
また、本発明によれば、第２リンクを連結パイプの凹部が形成された部分に固定することで、第２リンクの取付剛性を向上させることができる。
【００２６】
また、本発明によれば、第２リンクをサイドフレームと乗員支持部材との間に配置することで、シート内のスペースを有効に利用することができる。また、乗員支持部材と第２リンクの干渉を抑制することができる。
【００２７】
また、本発明によれば、第２ブラケットを第１ブラケットのビード部に固定することで、アクチュエータの取付剛性を向上させることができる。
【００２８】
また、本発明によれば、第２リンクを第２ブラケットの一対の第２壁の間の位置に配置することで、シート内のスペースを有効に利用することができる。
【図面の簡単な説明】
【００２９】
【図１】実施形態に係る乗物用シートとしての車両用シートの斜視図である。
【図２】シートクッションフレームとスライドレールの斜視図である。
【図３】シートクッションフレームを上から見た図である。
【図４】高さ調整機構の分解斜視図である。
【図５】左のリアリンクを左右方向内側から見た斜視図である。
【図６】左のリアリンクと支持リンク周辺の斜視図である。
【図７】ロッドの周辺を上から見た図である。
【図８】第１アクチュエータとブラケット周辺の斜視図である。
【図９】第２ブラケットと支持リンクを前から見た図である。
【図１０】高さ調整機構を左右方向内側から見た図である。
【図１１】高さ調整機構を左右方向内側から見た図であり、シートクッションフレームが最も上の位置にある図（ａ）と、シートクッションフレームが最も下の位置にある図（ｂ）である。
【図１２】チルト機構の分解斜視図である。
【図１３】サイドフレーム、回動フレーム、押上リンクおよびピニオンギヤの斜視図である。
【図１４】左のサイドフレーム、フロントリンク、回動フレームおよび押上リンクを前から見た図である。
【図１５】第１アクチュエータ周辺を左右方向内側から見た斜視図である。
【図１６】チルト機構を左右方向内側から見た図である。
【図１７】回動フレームを押し上げた状態を示す図である。
【発明を実施するための形態】
【００３０】
以下、添付の図面を参照しながら、発明の一実施形態について説明する。なお、本明細書において、前後、左右、上下は、乗物用シートに座った者から見た前後、左右、上下を基準とする。
図１に示すように、本実施形態の乗物用シートは、自動車に搭載される車両用シートＳとして構成されており、シートクッションＳ１と、シートバックＳ２とを備えている。
【００３１】
シートクッションＳ１の内部には、図２に示すようなシートクッションフレームＦ１が内蔵されている。シートクッションフレームＦ１は、シートクッションＳ１の骨格を構成する部材である。シートクッションＳ１は、シートクッションフレームＦ１に、ウレタンフォームなどからなるパッド材と、布地や皮革などからなる表皮材を被せることで構成されている。
【００３２】
シートクッションフレームＦ１は、左右のサイドフレーム１１，１１と、フロントフレームとしてのフロント連結パイプ１２と、リアフレームおよび連結パイプとしてのリア連結パイプ１３と、パンフレーム１４とを備えている。
左右のサイドフレーム１１，１１は、シートクッションＳ１の左右のフレームを構成する部材であり、左右に所定の間隔をあけて離間した状態で配置されている。各サイドフレーム１１は、金属板を板金加工することにより形成されており、上端および下端が左右方向内側に延出した断面形状を有している。
【００３３】
フロント連結パイプ１２は、左右のサイドフレーム１１，１１の前部同士を連結する部材であり、リア連結パイプ１３は、左右のサイドフレーム１１，１１の後部同士を連結する部材である。フロント連結パイプ１２およびリア連結パイプ１３は、金属製のパイプ材から形成されている。本実施形態において、フロント連結パイプ１２およびリア連結パイプ１３は、左右のサイドフレーム１１，１１に回動可能となるように連結されている。
【００３４】
図３に示すように、フロント連結パイプ１２とリア連結パイプ１３との間には、乗員支持部材１５が架け渡された状態で配置されている。なお、乗員支持部材１５は、図２においては図示を省略している。
乗員支持部材１５は、シートクッションＳ１に座った乗員を下から支持する部材であり、シートスプリング１５Ａと、連結部材１５Ｂとを有している。
【００３５】
シートスプリング１５Ａは、金属製の線材を左右に蛇行するようにジグザグに屈曲してなるバネであり、３つが左右に並んだ状態で設けられている。また、連結部材１５Ｂは、３つのシートスプリング１５Ａを連結する樹脂製の部材であり、インサート成形により３つのシートスプリング１５Ａと一体に形成されている。乗員支持部材１５は、各シートスプリング１５Ａの前端がフロント連結パイプ１２に掛止され、連結部材１５Ｂに覆われた各シートスプリング１５Ａの後端がリア連結パイプ１３に掛止されていることで、フロント連結パイプ１２とリア連結パイプ１３との間に架設されている。
【００３６】
パンフレーム１４は、シートクッションＳ１に座った乗員の大腿を下から支持する部材であり、左右のサイドフレーム１１，１１の前端部に架け渡すように配置されている。パンフレーム１４は、金属板を板金加工することにより形成されている。
【００３７】
図２に戻って、車両用シートＳは、シート支持部材としてのスライドレール３０，３０と、高さ調整機構１００と、チルト機構２００とをさらに備えている。
【００３８】
スライドレール３０，３０は、シートクッションＳ１を前後にスライド移動させることでシートクッションＳ１の前後位置を調整するための機構であり、左右に所定の間隔をあけて離間した状態で配置されている。各スライドレール３０は、乗物の機体としての車体に支持されており、ロアレール３１と、アッパーレール３２とを備えている。
ロアレール３１は、金属板を板金加工することにより形成されており、前後に長く延びた形状を有している。ロアレール３１は、車体の床に固定されている。
【００３９】
アッパーレール３２は、金属板を板金加工することにより形成されており、前後に長く延びた形状を有している。アッパーレール３２は、ロアレール３１に前後にスライド移動可能に係合している。アッパーレール３２は、後述するリンク１１０，１２０，１３０，１４０を介してシートクッションフレームＦ１と接続されているため、アッパーレール３２がロアレール３１に対して前後にスライド移動することで、シートクッションＳ１が車体に対して前後にスライド移動する。アッパーレール３２の上面には、前端部にリンク１１０，１２０を連結するためのリンク連結部３２Ａが設けられており、後部にリンク１３０，１４０を連結するためのリンク連結部３２Ｂが設けられている。
【００４０】
高さ調整機構１００は、シートクッションＳ１をスライドレール３０に対して昇降させることでシートクッションＳ１の高さ位置を調整するため機構である。図４に示すように、高さ調整機構１００は、左のフロントリンク１１０と、右のフロントリンク１２０と、第１リンクとしての左のリアリンク１３０と、右のリアリンク１４０と、ロッド１５０と、アクチュエータとしての第２アクチュエータ１６０と、第２リンクとしての支持リンク１７０とを備えている。
【００４１】
フロントリンク１１０およびリアリンク１３０は、左のサイドフレーム１１およびスライドレール３０に回動可能に連結されていることで、左のサイドフレーム１１およびスライドレール３０とともに４節リンク機構を構成している。同様に、フロントリンク１２０およびリアリンク１４０は、シートクッションＳ１を構成する右のサイドフレーム１１およびスライドレール３０に回動可能に連結されていることで、右のサイドフレーム１１およびスライドレール３０とともに４節リンク機構を構成している。
【００４２】
詳しくは、図２に示すように、フロントリンク１１０，１２０は、その上端部が、サイドフレーム１１の左右方向外側に配置され、ピン１９１によりサイドフレーム１１の前後方向中央部付近に回動可能に連結されている。また、フロントリンク１１０，１２０の下端部は、アッパーレール３２に設けられたリンク連結部３２Ａの左右方向内側に配置され、ピン１９２によりリンク連結部３２Ａに回動可能に連結されている。
【００４３】
また、リアリンク１３０，１４０は、その上端部が、サイドフレーム１１の左右方向内側に配置され、溶接によりリア連結パイプ１３の左右の端部に接続されていることで、サイドフレーム１１の後部にリア連結パイプ１３と一体で回動可能に連結されている。また、リアリンク１３０，１４０の下端部は、アッパーレール３２に設けられたリンク連結部３２Ｂの左右方向内側に配置され、ピン１９４によりリンク連結部３２Ｂに回動可能に連結されている。
【００４４】
図５に示すように、左のリアリンク１３０は、第１連結部１３１と、第２連結部１３２と、第１連結部１３１と第２連結部１３２を接続する接続部１３３とを有している。
第１連結部１３１は、左のサイドフレーム１１とスライドレール３０に連結される部分であり、リア連結パイプ１３が挿通されるパイプ挿通穴１３１Ａと、ピン１９４が挿通されるピン挿通穴１３１Ｂとを有している。
【００４５】
第２連結部１３２は、ロッド１５０に連結される部分であり、リアリンク１３０の下部、具体的には、ピン挿通穴１３１Ｂの下側部分からパイプ挿通穴１３１Ａの前斜め下側部分にわたる範囲に形成されている。第２連結部１３２は、リアリンク１３０の回動軸方向に対応する左右方向において、第１連結部１３１に対し右側（支持リンク１７０側）にずれた位置に配置されている。第２連結部１３２の下端部には、ピン１９５（図４参照）が挿通されるピン挿通穴１３２Ａが形成されている。また、リアリンク１３０には、第２連結部１３２と、第２連結部１３２と第１連結部１３１を接続する接続部１３３とによって、左右方向において、第１連結部１３１に対して右側に向けて膨出する膨出部１３４が形成されている。このため、第２連結部１３２は、膨出部１３４に形成されているということもできる。
【００４６】
なお、膨出部１３４の裏側に形成される凹部１３５には、高さ調整機構１００による高さ調整によってシートクッションＳ１の高さ位置がある程度低くなったときに、左のアッパーレール３２の一部が入り込むようになっている（図１１（ｂ）参照）。つまり、膨出部１３４の裏側の凹部１３５は、他部材との干渉を避けるための逃げ部となっている。これにより、リアリンク１３０をスライドレール３０に近づけて配置することが可能となるので、車両用シートＳ内のスペースを有効に利用することができる。
【００４７】
図６に示すように、支持リンク１７０は、左右方向においてリアリンク１３０と並ぶように配置されている。詳しくは、支持リンク１７０は、リアリンク１３０の左右方向内側に隣接して配置されている。また、図３に示すように、支持リンク１７０は、左右方向において、左右のサイドフレーム１１，１１の一方、具体的には、左のサイドフレーム１１と、乗員支持部材１５との間に配置されている。さらに説明すると、支持リンク１７０は、左右方向において、左のサイドフレーム１１と乗員支持部材１５との間に形成されるスペースに配置されている。
【００４８】
図６に戻って、支持リンク１７０の上端部は、溶接によりリア連結パイプ１３の左端部に接続されていることで、サイドフレーム１１の後部にリア連結パイプ１３およびリアリンク１３０，１４０（図２参照）と一体で回動可能に連結されている。言い換えると、支持リンク１７０の上端部は、サイドフレーム１１の後部にリアリンク１３０，１４０と同軸で回動可能に連結されている。また、さらに説明すると、リア連結パイプ１３の左端部には、当該リア連結パイプ１３の内側に向けて凹む形状の左右に長い凹部１３Ａが形成されており、支持リンク１７０の上端部は、左右方向において、リア連結パイプ１３の凹部１３Ａが形成された部分と重なる位置に溶接により固定されている。
【００４９】
図７に示すように、ロッド１５０は、軸方向、具体的には、略前後にスライド移動することでリアリンク１３０を回動させ、これによって、高さ調整機構１００を駆動させてシートクッションＳ１をスライドレール３０に対して昇降させる部材である。ロッド１５０は、略前後に延びる棒状に形成されており、前端部１５２の外周面にネジ溝１５３が形成されている。図６に示すように、ロッド１５０の一端部である後端部１５１は、リアリンク１３０（第２連結部１３２）の下端部と支持リンク１７０の下端部との間に配置されている。そして、ロッド１５０の後端部１５１は、リアリンク１３０の下端部と支持リンク１７０の下端部とによって挟まれた状態で、ピン１９５によりリアリンク１３０および支持リンク１７０に回動可能に連結されている。ロッド１５０の後端部１５１とリアリンク１３０との間には、後端部１５１とリアリンク１３０との間隔を調整するためのカラー１８０が配置されている。
【００５０】
図４に示すように、第２アクチュエータ１６０は、ロッド１５０を略前後に往復移動させて高さ調整機構１００を駆動させるための機構であり、正逆回転可能なモータ１６１と、ギヤボックス１６２と、ハウジング１６３とを有している。
モータ１６１は、ギヤボックス１６２に固定されている。
【００５１】
ギヤボックス１６２は、モータ１６１の回転駆動力を減速してロッド１５０に伝達するための図示しない複数のギヤを収容する部材であり、ロッド１５０の他端部である前端部１５２が挿通される図示しないロッド挿通穴を有している。ギヤボックス１６２内に収容されたギヤは、モータ１６１の軸から回転駆動力が入力される入力ギヤと、ギヤボックス１６２に挿通されたロッド１５０のネジ溝１５３（図７参照）と噛み合う出力ギヤと、入力ギヤに入力された回転駆動力を減速して出力ギヤに伝達する伝達ギヤを有している。このような構成により、モータ１６１の軸が第１方向に回転駆動すると、ロッド１５０は、回転しながら略後方にスライド移動する。また、モータ１６１の軸が第１方向とは逆の第２方向に回転駆動すると、ロッド１５０は、回転しながら略前方にスライド移動する。
【００５２】
ハウジング１６３は、モータ１６１およびギヤボックス１６２を保持する部材であり、金属板を板金加工することにより形成されている。ハウジング１６３は、ベース部１６３Ａと、ベース部１６３Ａの前後両端から上方に向けて延びる前後一対の保持部１６３Ｂ，１６３Ｃと、後側の保持部１６３Ｃの左右両端から後方に向けて延びる左右一対の取付部１６３Ｄ，１６３Ｅ（図７参照）とを有している。モータ１６１が固定されたギヤボックス１６２は、一対の保持部１６３Ｂ，１６３Ｃの間に配置され、ネジ１８２（図８参照）により一対の保持部１６３Ｂ，１６３Ｃに固定されている。これにより、ハウジング１６３は、モータ１６１およびギヤボックス１６２を保持する。一対の保持部１６３Ｂ，１６３Ｃには、ギヤボックス１６２のロッド挿通穴と連通して、ロッド１５０の前端部１５２が挿通されるロッド挿通穴１６３Ｈが形成されている。また、一対の取付部１６３Ｄ，１６３Ｅは、後述する第２ブラケット３２０に回動可能に取り付けられる部分である。
【００５３】
第２アクチュエータ１６０は、金属製のブラケット３００により左のスライドレール３０に取り付けられている。
ブラケット３００は、第２アクチュエータ１６０をスライドレール３０に取り付けるための部材であり、第１ブラケット３１０と、第２ブラケット３２０とを有している。
【００５４】
第１ブラケット３１０は、スライドレール３０に固定される部材であり、第１固定部３１１と、第１固定部３１１の左右方向内側の端から略下方に向けて延びる延出部３１２と、延出部３１２の下端から左右方向内側に向けて延びる第２固定部３１３とを有している。また、第１ブラケット３１０には、前後方向中央付近に、略上方に向けて突出するビード部３１４が形成されている。ビード部３１４は、第１固定部３１１、延出部３１２および第２固定部３１３にわたって延びており、その上面が略平らな面となっている。図８に示すように、第１ブラケット３１０は、第１固定部３１１がアッパーレール３２の上面にボルト１８１，１８１の締結により固定されていることで、スライドレール３０に固定されている。
【００５５】
図４に戻って、第２ブラケット３２０は、第１ブラケット３１０に固定される部材であり、第１壁３２１と、第１壁３２１の左右両端から立ち上がる左右一対の第２壁３２２，３２２とを有する略Ｕ字の断面形状を有している。図８に示すように、第２ブラケット３２０は、一対の第２壁３２２，３２２がハウジング１６３に形成された一対の取付部１６３Ｄ，１６３Ｅの間に配置され、ピン１９６，１９６により一対の取付部１６３Ｄ，１６３Ｅに回動可能に連結されている。これにより、第２ブラケット３２０の一対の第２壁３２２，３２２は、左右方向に平行な軸としてのピン１９６，１９６を中心に、第２アクチュエータ１６０を略上下に回動可能に保持している。図９に示すように、第２ブラケット３２０は、第１壁３２１が第１ブラケット３１０の第２固定部３１３において図示しないボルトとナットの締結などによりビード部３１４の上面に固定されていることで、第１ブラケット３１０に固定されている。支持リンク１７０は、左右方向において、一対の第２壁３２２，３２２の間の位置に配置されている。
【００５６】
ここで、高さ調整機構１００の動作について説明する。
図１０に示す状態から、第２アクチュエータ１６０のモータ１６１が第１方向に回転駆動してロッド１５０が略後方に向けてスライド移動すると、ロッド１５０によりピン１９５を介して左のリアリンク１３０の下端部が後方へ押されることで、リアリンク１３０がピン１９４を中心に図示時計回りに回動する。これにより、図１１（ａ）に示すように、リアリンク１３０が前方へ立ち上がる。また、このとき、左右のリアリンク１３０，１４０がリア連結パイプ１３により接続されていることで、右のリアリンク１４０も、リアリンク１３０とともに回動して前方へ立ち上がる。そして、リアリンク１３０，１４０が前方へ立ち上がることにより、フロントリンク１１０，１２０も回動して前方へ立ち上がり、これによって、サイドフレーム１１（シートクッションフレームＦ１）をスライドレール３０に対して上昇させることができる。その結果、シートクッションＳ１の高さ位置を高くすることができる。
【００５７】
一方、図１０に示す状態から、第２アクチュエータ１６０のモータ１６１が第１方向とは逆の第２方向に回転駆動してロッド１５０が略前方に向けてスライド移動すると、ロッド１５０によりピン１９５を介して左のリアリンク１３０の下端部が前方へ引っ張られることで、リアリンク１３０がピン１９４を中心に図示反時計回りに回動する。これにより、図１１（ｂ）に示すように、リアリンク１３０が後方へ倒れる。また、このとき、右のリアリンク１４０も、リアリンク１３０とともに回動しながら後方へ倒れる。そして、リアリンク１３０，１４０が後方へ倒れることにより、フロントリンク１１０，１２０も回動して後方へ倒れ、これによって、サイドフレーム１１（シートクッションフレームＦ１）をスライドレール３０に対して下降させることができる。その結果、シートクッションＳ１の高さ位置を低くすることができる。なお、このとき、リアリンク１３０の膨出部１３４の裏側の凹部１３５に、左のアッパーレール３２の一部が入り込むことで、アッパーレール３２とリアリンク１３０との干渉を抑制している。
【００５８】
図１２に示すように、チルト機構２００は、シートクッションＳ１の前部を上下させることでシートクッションＳ１の座面の水平面に対する角度を調整するための機構である。チルト機構２００は、左の回動フレーム２１０と、回動部材としての右の回動フレーム２２０と、左の押上リンク２３０（図１３参照）と、押上部材としての右の押上リンク２４０と、駆動部材としてのピニオンギヤ２５０と、第１アクチュエータ２６０とを備えている。なお、本実施形態においては、回動フレーム２１０，２２０が略左右対称に形成されているため、以下では、右の回動フレーム２２０の構成について詳細に説明し、左の回動フレーム２１０については同一符号を付して説明を省略する。
【００５９】
図１３に示すように、回動フレーム２２０は、金属板を板金加工することにより形成されたフレーム本体２１と、被摺接部２２Ａを形成するピン２２とを有している。
フレーム本体２１は、側部２３と、側部２３の上端から左右方向内側に向けて延びるフレーム固定部２４とを有している。側部２３には、ピン２２の先端部が挿通されるピン挿通穴２３Ａが形成されている。ピン２２は、サイドフレーム１１の左右方向内側から、押上リンク２４０に形成された貫通穴２４２と、サイドフレーム１１に形成された貫通穴１１Ａを通って、先端部がピン挿通穴２３Ａに挿通された状態で側部２３に溶接などにより固定されている。サイドフレーム１１の貫通穴１１Ａは、回動フレーム２２０のピン２９１を中心とした回動方向に延びる円弧状に形成されている。貫通穴１１Ａは、左右のサイドフレーム１１，１１に左右対称となるように形成されている。
【００６０】
図１４に示すように、被摺接部２２Ａは、ピン２２の軸部分であり、サイドフレーム１１の貫通穴１１Ａを通ってサイドフレーム１１の左右方向内側に延びるように設けられている。被摺接部２２Ａの左右方向外側の端、つまり、ピン２２の先端面２２Ｂは、フロントリンク１２０の左右方向外側の端である外側面１２１よりも左右方向内側に配置されている。言い換えると、ピン２２は、フロントリンク１２０よりも左右方向外側に飛び出さないように配置されている。なお、図示は省略するが、本実施形態においては、左の回動フレーム２１０の被摺接部２２Ａの左右方向外側の端も、フロントリンク１１０の外側面左右方向外側の端よりも左右方向内側に配置されている。
【００６１】
図１３に戻って、回動フレーム２２０は、側部２３が右のサイドフレーム１１の左右方向における一方側、具体的には、外側に隣接して配置され、フレーム固定部２４がサイドフレーム１１の上面に対向して配置されている。また、回動フレーム２２０は、右のサイドフレーム１１に対して左右方向に平行な第１軸線Ｌ１を中心に回動可能に連結されている。詳しくは、回動フレーム２２０は、側部２３の後端部が、ピン２９１によりサイドフレーム１１の前後方向中央部付近に上下に回動可能に連結されている。
【００６２】
図１２に示すように、パンフレーム１４は、左右の回動フレーム２１０，２２０のフレーム固定部２４，２４の上に架け渡すように配置され、左右の端部がフレーム固定部２４，２４に固定されている。回動フレーム２１０，２２０は、その前端部がサイドフレーム１１に対して上下に揺動することで、シートクッションＳ１の前部を構成するパンフレーム１４を上下に揺動させるようになっている。
【００６３】
図１３に示すように、押上リンク２３０，２４０は、回動フレーム２１０，２２０を押し上げることで回動フレーム２１０，２２０を上に揺動させるための部材である。
【００６４】
押上リンク２４０は、前後に長い板状の部材であり、パイプ挿通穴２４１と、貫通穴２４２と、セクタギヤ部２４３とを有している。
パイプ挿通穴２４１は、フロント連結パイプ１２が挿通される穴であり、押上リンク２４０の後端部に形成されている。
セクタギヤ部２４３は、ピニオンギヤ２５０が噛み合う部分であり、押上リンク２４０の前端に形成されている。
【００６５】
貫通穴２４２は、前後に長い穴であり、前後方向において、パイプ挿通穴２４１とセクタギヤ部２４３との間に形成されている。貫通穴２４２の内周面は、下側の面が摺接部２４５となっており、上側の面が規制部２４６となっている。摺接部２４５は、回動フレーム２２０の被摺接部２２Ａに下から当接し、回動フレーム２２０を押し上げる際に被摺接部２２Ａと摺接する部分である。摺接部２４５は、前後方向において、貫通穴２４２がセクタギヤ部２４３とパイプ挿通穴２４１との間に形成されていることで、セクタギヤ部２４３とパイプ挿通穴２４１（第２軸線Ｌ２（図１６参照））との間に配置されている。また、規制部２４６は、上下方向において、摺接部２４５と対向し、摺接部２４５との間で被摺接部２２Ａを挟むように設けられている。
【００６６】
押上リンク２４０は、回動フレーム２２０との間で右のサイドフレーム１１を挟むように、右のサイドフレーム１１の左右方向における他方側、具体的には、内側に隣接して配置されている。また、押上リンク２４０と回動フレーム２２０の側部２３とは、左右方向から見て、一部が重なって配置されている（図１６参照）。また、押上リンク２４０は、サイドフレーム１１に対して、左右方向に平行であり、かつ、第１軸線Ｌ１と異なる第２軸線Ｌ２（図１６参照）を中心に回動可能に連結されている。詳しくは、押上リンク２４０は、パイプ挿通穴２４１にフロント連結パイプ１２の右端部が挿通された状態で溶接によりフロント連結パイプ１２に接続されており、これによって、サイドフレーム１１にフロント連結パイプ１２と一体で上下に回動可能に連結されている。
【００６７】
押上リンク２３０は、前後に長い板状の部材であり、パイプ係合部２３１と、貫通穴２４２とを有している。
パイプ係合部２３１は、フロント連結パイプ１２に係合する下に向けて開放された凹部であり、押上リンク２３０の後端部に形成されている。
貫通穴２４２は、前後に長い穴であり、押上リンク２３０の前端部に形成されている。貫通穴２４２は、右の押上リンク２４０の貫通穴２４２と同様に、内周面の下側の面が摺接部２４５となっており、上側の面が規制部２４６となっている。
【００６８】
押上リンク２３０は、回動フレーム２１０との間で左のサイドフレーム１１を挟むように、左のサイドフレーム１１の左右方向における内側に隣接して配置されている。また、押上リンク２３０と回動フレーム２１０の側部２３とは、右の押上リンク２４０と回動フレーム２２０の側部２３と同様に（図１６参照）、左右方向から見て、一部が重なって配置されている。また、押上リンク２３０は、パイプ係合部２３１がフロント連結パイプ１２の左端部に係合した状態で溶接によりフロント連結パイプ１２に接続されており、これによって、サイドフレーム１１にフロント連結パイプ１２と一体で上下に回動可能に連結されている。左右の押上リンク２４０，２４０は、フロント連結パイプ１２によって接続されているため、一体に回動する。
【００６９】
ピニオンギヤ２５０は、押上リンク２４０を回動させる部材であり、押上リンク２４０の前側の位置で右のサイドフレーム１１に回転可能に支持されている。
【００７０】
図１５に示すように、第１アクチュエータ２６０は、ピニオンギヤ２５０を回転駆動させてチルト機構２００を駆動させるための機構であり、正逆回転可能なモータ２６１と、ギヤボックス２６２とを主に有している。
ギヤボックス２６２は、モータ２６１の回転駆動力を減速してピニオンギヤ２５０に伝達するための図示しない複数のギヤを収容する部材である。ギヤボックス２６２内に収容されたギヤは、モータ２６１の軸から回転駆動力が入力される入力ギヤと、ピニオンギヤ２５０と噛み合う出力ギヤと、入力ギヤに入力された回転駆動力を減速して出力ギヤに伝達する伝達ギヤを有している。このような構成により、モータ２６１の軸が第３方向に回転駆動すると、ピニオンギヤ２５０は、図示反時計回りに回転する。また、モータ１６１の軸が第３方向とは逆の第４方向に回転駆動すると、ピニオンギヤ２５０は、図示時計回りに回転する。
【００７１】
第１アクチュエータ２６０は、ネジ２８１により第３ブラケット４１０に取り付けられている。一方、右のサイドフレーム１１の前端部の左右方向内側の面には、溶接などにより第４ブラケット４２０が取り付けられている。第１アクチュエータ２６０は、第３ブラケット４１０がネジ２８２により第４ブラケット４２０に固定されることで、ブラケット４１０，４２０を介して右のサイドフレーム１１に取り付けられている。
【００７２】
本実施形態において、第１アクチュエータ２６０は、第２アクチュエータ１６０よりも右のサイドフレーム１１（一方のサイドフレーム１１）の近く、具体的には、右のサイドフレーム１１の左右方向内側に取り付けられている。一方、図２に示すように、第２アクチュエータ１６０は、第１アクチュエータ２６０よりも左のサイドフレーム１１（他方のサイドフレーム１１）の近く、具体的には、左のスライドレール３０を構成するアッパーレール３２の上面に取り付けられている。つまり、本実施形態では、第１アクチュエータ２６０が車両用シートＳの右に配置され、第２アクチュエータ１６０が車両用シートＳの左に配置されている。
【００７３】
ここで、チルト機構２００の動作について説明する。
図１６に示す状態から、第１アクチュエータ２６０のモータ２６１（図１５参照）が第３方向に回転駆動してピニオンギヤ２５０が図示反時計回りに回転すると、右の押上リンク２４０がフロント連結パイプ１２を中心に上方へ回動する。また、このとき、左右の押上リンク２３０，２４０がフロント連結パイプ１２により接続されていることで、左の押上リンク２３０も、押上リンク２４０とともに上方へ回動する。そうすると、図１７に示すように、押上リンク２３０，２４０は、上方への回動により摺接部２４５が回動フレーム２１０，２２０の被摺接部２２Ａに摺接しながら、被摺接部２２Ａを介して回動フレーム２１０，２２０を上方へ押し上げる。これにより、回動フレーム２１０，２２０がピン２９１を中心に上方へ揺動し、これに伴って、回動フレーム２１０，２２０に架け渡されたパンフレーム１４が上方へ揺動する。その結果、シートクッションＳ１の前部が上昇し、シートクッションＳ１の座面の水平面に対する角度を大きくすることができる。
【００７４】
一方、図１７に示す状態から、第１アクチュエータ２６０のモータ２６１が第３方向とは逆の第４方向に回転駆動してピニオンギヤ２５０が図示時計回りに回転すると、右の押上リンク２４０がフロント連結パイプ１２を中心に下方へ回動する。また、このとき、左の押上リンク２３０も、押上リンク２４０とともに下方へ回動する。そうすると、図１６に示すように、回動フレーム２１０，２２０およびパンフレーム１４は、自重や乗員の体重によって被摺接部２２Ａが摺接部２４５に摺接しながらピン２９１を中心に下方へ揺動する。その結果、シートクッションＳ１の前部が下降し、シートクッションＳ１の座面の水平面に対する角度を小さくすることができる。
【００７５】
以上説明した本実施形態によれば、高さ調整機構１００において、ロッド１５０の後端部１５１がリアリンク１３０と支持リンク１７０の間に配置されてリアリンク１３０および支持リンク１７０に回動可能に連結されているので、ロッド１５０の後端部１５１をリアリンク１３０と支持リンク１７０とによって回動軸方向の両側から支持することができる。これにより、リンク１３０，１７０がねじれることなく安定して動作することができる。
【００７６】
また、リアリンク１３０の第２連結部１３２が第１連結部１３１に対し支持リンク１７０側にずれた位置に配置されているので、第２連結部１３２の支持リンク１７０側とは反対側にスペースを確保することができる。これにより、当該スペースの分、リアリンク１３０を、左のスライドレール３０などの隣接する部材に近づけて配置することができるので、車両用シートＳ内のスペースを有効に利用することができる。
【００７７】
また、リアリンク１３０が第２連結部１３２が形成された膨出部１３４を有するので、リアリンクがフラットな板状である構成と比較して、膨出部１３４によりリアリンク１３０の剛性を向上させることができる。
【００７８】
また、支持リンク１７０がリア連結パイプ１３の凹部１３Ａが形成された部分に固定されているので、支持リンク１７０の取付剛性を向上させることができる。
【００７９】
また、支持リンク１７０が左右方向において左のサイドフレーム１１と乗員支持部材１５との間に形成されるスペースに配置されているので、車両用シートＳ内のスペースを有効に利用することができる。また、乗員支持部材１５と支持リンク１７０の干渉を抑制することができる。
【００８０】
また、第１ブラケット３１０がビード部３１４を有し、第２ブラケット３２０がビード部３１４に固定されているので、第１ブラケット３１０はビード部３１４により剛性が向上し、この剛性が高い部分に第２ブラケット３２０を固定することで、第２ブラケット３２０の取付剛性を向上させることができる。これにより、第２アクチュエータ１６０の取付剛性を向上させることができる。
【００８１】
また、支持リンク１７０が左右方向において一対の第２壁３２２，３２２の間の位置に配置されているので、左右方向において支持リンク１７０をコンパクトに配置することができる。これにより、車両用シートＳ内のスペースを有効に利用することができる。
【００８２】
また、チルト機構２００において、回動フレーム２１０，２２０がサイドフレーム１１の左右方向外側に配置され、押上リンク２３０，２４０が対応する回動フレーム２１０，２２０との間でサイドフレーム１１を挟むように、サイドフレーム１１の左右方向内側に配置されているので、一対の回動フレームと押上リンクの両方がサイドフレームの左右同じ側に配置される構成と比較して、例えば、回動フレーム２１０，２２０と対応する押上リンク２３０，２４０とが干渉しないような配置や形状などをそれほど考慮しなくても済む。これにより、各部材を簡素な構成とすることができるので、チルト機構２００の構造を簡素化することができる。
【００８３】
また、押上リンク２３０，２４０の摺接部２４５がサイドフレーム１１の貫通穴１１Ａを通ってサイドフレーム１１の左右方向内側に延びる被摺接部２２Ａに摺接しながら回動フレーム２１０，２２０を押し上げるので、回動フレームの被摺接部がサイドフレームの上や下を通って押上リンク側に延びる構成と比較して、回動フレーム２１０，２２０や押上リンク２３０，２４０を小型化することができる。これにより、チルト機構２００をコンパクト化することができる。
【００８４】
また、押上リンク２３０，２４０が規制部２４６を有するので、例えば、車両の後面衝突などによって回動フレーム２１０，２２０が上方へ回動しようとしたときには、被摺接部２２Ａが規制部２４６に当接することで、回動フレーム２１０，２２０の上方への回動を規制することができる。
【００８５】
また、回動フレーム２１０，２２０と押上リンク２３０，２４０が左右方向から見て重なって配置されているので、例えば、回動フレームと押上リンクが上下方向にずれて配置されている構成と比較して、チルト機構２００をコンパクト化することができる。
【００８６】
また、摺接部２４５が前後方向においてセクタギヤ部２４３とパイプ挿通穴２４１（第２軸線Ｌ２）との間に配置されているので、例えば、摺接部とセクタギヤ部を第２軸線を挟んで前後に配置する構成と比較して、押上リンク２４０を前後方向に小型化することができる。これにより、チルト機構２００をコンパクト化することができる。
【００８７】
また、被摺接部２２Ａを形成するピン２２の先端面２２Ｂがフロントリンク１２０の外側面１２１よりも左右方向内側に配置されているので、ピン２２（被摺接部２２Ａ）の左右方向外側への突出量を抑えることができる。これにより、チルト機構２００を左右方向にコンパクト化することができる。
【００８８】
また、第１アクチュエータ２６０が車両用シートＳの右に配置され、第２アクチュエータ１６０が車両用シートＳの左に配置されているので、２つのアクチュエータが片方のサイドフレームの近くに集中して取り付けられる構成と比較して、第２アクチュエータ１６０のサイズや配置、取付方法など、設計の自由度を向上させることができる。
【００８９】
また、第１アクチュエータ２６０が右のサイドフレーム１１の左右方向内側に取り付けられているので、第１アクチュエータがサイドフレームの左右方向外側に取り付けられる構成と比較して、設計の自由度をより向上させることができる。
【００９０】
以上、実施形態について説明したが、本発明は前記実施形態に限定されるものではない。具体的な構成については、下記のように発明の趣旨を逸脱しない範囲で適宜変更が可能である。
例えば、前記実施形態では、乗物の機体に支持されるシート支持部材としてスライドレール３０を例示したが、これに限定されない。例えば、シート支持部材は、車両用シートを車体の床に固定するためのブラケットなどであってもよい。また、シート支持部材は、車体自体であってもよい。
【００９１】
また、前記実施形態では、乗員支持部材１５が、シートスプリング１５Ａと、シートスプリング１５Ａを連結する連結部材１５Ｂとを有する構成であったが、これに限定されない。例えば、乗員支持部材は、連結部材を備えずに、左右に並ぶ複数のシートスプリングから構成されていてもよい。つまり、シートスプリングは、連結されていなくてもよい。なお、図３を参考にして説明すると、乗員支持部材が、連結部材１５Ｂを備えずに、左右に並ぶシートスプリング１５Ａから構成されている場合には、支持リンク１７０を、左のサイドフレーム１１と、左のサイドフレーム１１の最も近くに配置されたシートスプリング１５Ａ（最も左に配置されたシートスプリング１５Ａ）との間に配置する構成とすることができる。
【００９２】
また、前記実施形態では、第２アクチュエータ１６０が２部品からなるブラケット３００を介して左のアッパーレール３２に取り付けられ、第１アクチュエータ２６０が２つのブラケット４１０，４２０を介して右のサイドフレーム１１に取り付けられていたが、これに限定されない。例えば、アクチュエータを取り付けるためのブラケットは、１部品から構成されていてもよいし、３部品以上から構成されていてもよい。
【００９３】
また、前記実施形態では、押上リンク２４０の摺接部２４５と規制部２４６が左右方向から見て閉じられた貫通穴２４２に設けられていたが、これに限定されない。例えば、図１３を参考にして説明すると、摺接部２４５と規制部２４６は、貫通穴２４２ではなく、左右方向から見て、前側が開放され、後方に向けて凹む形状の凹部に設けられていてもよい。また、押上リンクは、規制部を備えずに、摺接部の上方が開放された構成、例えば、押上リンクの上面が摺接部であるような構成であってもよい。また、前記実施形態では、回動フレーム２２０がサイドフレーム１１の貫通穴１１Ａを通って内側に延びる被摺接部２２Ａを有し、押上リンク２４０が摺接部２４５で被摺接部２２Ａを押し上げるように構成されていたが、これに限定されない。例えば、押上リンクが、サイドフレーム１１の貫通穴１１Ａを通って外側に延びる摺接部を有し、この摺接部で回動フレーム２２０の側部２３を押し上げるように構成されていてもよい。また、押上リンクが、回動フレーム２２０のフレーム固定部２４を押し上げるように構成されていてもよい。
【００９４】
また、前記実施形態では、第１アクチュエータ２６０が右のサイドフレーム１１の近くに取り付けられ、第２アクチュエータ１６０が左のサイドフレーム１１の近くに取り付けられていたが、これに限定されない。例えば、第１アクチュエータが左のサイドフレームの近くに取り付けられ、第２アクチュエータが右のサイドフレームの近くに取り付けられていてもよい。つまり、第１アクチュエータが車両用シートの左に配置され、第２アクチュエータが車両用シートの右に配置されていてもよい。そして、この場合には、高さ調整機構のロッドや支持リンクを車両用シートの右に配置し、チルト機構のピニオンギヤやセクタギヤ部を有する押上リンクを車両用シートの左に配置してもよい。また、第１アクチュエータと第２アクチュエータの両方を車両用シートの左右同じ側に配置してもよい。また、同じ側に配置する場合、第１アクチュエータおよび第２アクチュエータの一方をサイドフレームの左右方向内側に取り付け、他方をサイドフレームの左右方向外側に取り付けてもよい。
【００９５】
また、前記実施形態では、支持リンク１７０（第２リンク）が、リア連結パイプ１３を介してシートクッションＳ１を構成するサイドフレーム１１にリアリンク１３０（第１リンク）と同軸で回動可能に連結されていたが、これに限定されない。例えば、第２リンクは、シート支持部材としてのスライドレールに第１リンクと同軸で回動可能に連結されていてもよい。また、第２リンクは、シートクッションおよびシート支持部材の両方に第１リンクと同軸で回動可能に連結されていてもよい。また、前記実施形態では、第２リンクとして、２つのリアリンク１３０，１４０の間に配置された支持リンク１７０を例示したが、これに限定されず、例えば、第１リンクが左右のリアリンクの一方である場合、第２リンクは、左右のリアリンクの他方であってもよい。
【００９６】
また、前記実施形態では、第１リンクとしてのリアリンク１３０が、リア連結パイプ１３を介してサイドフレーム１１に回動可能に連結されていたが、これに限定されず、例えば、前記実施形態のフロントリンク１１０，１２０などと同様に、ピンなどによりサイドフレームに回動可能に連結されていてもよい。また、前記実施形態では、第１リンクとしてのリアリンク１３０が、第１連結部１３１や第２連結部１３２、膨出部１３４を有していたが、これに限定されず、例えば、第１リンクは、前記実施形態のリアリンク１４０のような、フラットな板状のリンクであってもよい。また、前記実施形態では、第１リンクとしてリアリンク１３０を例示したが、これに限定されず、例えば、第１リンクは、フロントリンクであってもよい。
【００９７】
また、前記実施形態では、車両用シートＳがチルト機構２００を備えていたが、これに限定されず、チルト機構を備えない構成であってもよい。
【００９８】
また、前記実施形態では、乗物用シートとして自動車に搭載される車両用シートＳを例示したが、これに限定されず、自動車以外の乗物、例えば、鉄道車両や船舶、航空機などに搭載される乗物用シートであってもよい。
【符号の説明】
【００９９】
１１    サイドフレーム
１２    フロント連結パイプ
１３    リア連結パイプ
１３Ａ  凹部
１５    乗員支持部材
３０    スライドレール
３１    ロアレール
３２    アッパーレール
１００  高さ調整機構
１３０  リアリンク
１３１  第１連結部
１３２  第２連結部
１３４  膨出部
１５０  ロッド
１５１  後端部
１６０  第２アクチュエータ
１６１  モータ
１６２  ギヤボックス
１６３  ハウジング
１７０  支持リンク
３００  ブラケット
３１０  第１ブラケット
３１４  ビード部
３２０  第２ブラケット
３２１  第１壁
３２２  第２壁
Ｓ      車両用シート
Ｓ１    シートクッション
【図１】
2018016258.tif 000003
【図２】
2018016258.tif 000004
【図３】
2018016258.tif 000005
【図４】
2018016258.tif 000006
【図５】
2018016258.tif 000007
【図６】
2018016258.tif 000008
【図７】
2018016258.tif 000009
【図８】
2018016258.tif 000010
【図９】
2018016258.tif 000011
【図１０】
2018016258.tif 000012
【図１１】
2018016258.tif 000013
【図１２】
2018016258.tif 000014
【図１３】
2018016258.tif 000015
【図１４】
2018016258.tif 000016
【図１５】
2018016258.tif 000017
【図１６】
2018016258.tif 000018
【図１７】
2018016258.tif 000019